(57)【特許請求の範囲】
【請求項１】
調理器本体ケースの上面に設けられたトッププレートと、前記調理器本体ケースの内部で前記トッププレートの裏面側に配置されたドーナツ状の加熱コイルと、前記加熱コイルの中心部に配置され、前記トッププレートの裏面に押圧される温度検出手段と、前記温度検出手段の感温表面を前記トッププレートの裏面に押し当てて密着するよう常時付勢する付勢手段とを備えた電磁誘導加熱調理器において、
前記温度検出手段の感温表面に前記トッププレートの裏面に設けられた塗料による塗装保護膜と同一の塗料による塗装保護膜を設けたことを特徴とする電磁誘導加熱調理器。
【請求項２】
調理器本体ケースの上面に設けられたトッププレートと、前記調理器本体ケースの内部で前記トッププレートの裏面側に配置されたドーナツ状の加熱コイルと、前記加熱コイルの中心部に配置され、前記トッププレートの裏面に押圧される温度検出手段と、前記温度検出手段の感温表面を前記トッププレートの裏面に押し当てて密着するよう常時付勢する付勢手段とを備えた電磁誘導加熱調理器において、
前記温度検出手段の感温表面に前記トッププレートの裏面に設けられた塗料による塗装保護膜と同一の塗料による塗装保護膜を設け、
前記トッププレートの裏面に設けられた塗装保護膜の塗料と前記温度検出手段の感温表面に設けられた塗装保護膜の塗料が同一で、塗料の硬度が異なり、硬度が軟らかい塗料を前記温度検出手段の感温表面に設けたことを特徴とする電磁誘導加熱調理器。
【請求項３】
前記温度検出手段の感温表面に微細な凹凸を設け、その微細な凹凸に塗料による塗装保護膜を設けたことを特徴とする請求項１又は２記載の電磁誘導加熱調理器。
【請求項４】
前記温度検出手段の感温表面はアルミで形成され、前記トッププレートの裏面に設けられた塗装保護膜は、シリコン樹脂を主剤にする塗料、フッ素を主剤にする塗料、黒鉛を主剤にする塗料又はアルミを主剤とする塗料のいずれかで形成されていることを特徴とする請求項１〜３のいずれかに記載の電磁誘導加熱調理器。
【発明の詳細な説明】
【技術分野】
【０００１】
本発明は電磁誘導加熱調理器、特にトッププレートの下面に配置した温度検出手段の取り付け構造に関する。
【背景技術】
【０００２】
従来の電磁誘導加熱調理器は、加熱コイルに配置した温度検出手段の感温素子に熱伝導性シリコングリスを塗布し、その上面をカーボンシートで覆い、トッププレートの裏面に密着させていた（特許文献１参照）。
【先行技術文献】
【特許文献】
【０００３】
【特許文献１】特開２００５−１８３０６４号公報（第１頁、図２）
【発明の概要】
【発明が解決しようとする課題】
【０００４】
従来の電磁誘導加熱調理器では、感温素子に熱伝導性シリコングリスを塗布し、その上面をカーボンシートで覆い、そのカーボンシートを接着剤でトッププレートの裏面に密着して貼り付けているため、シリコングリス塗布とカーボンシートの貼り付けの２度手間になることと、トッププレート裏面とカーボンシートによる擦れで、トッププレート裏面のシリコン塗装が傷付くという問題があった。
本発明はかかる問題点を解決するためになされたもので、トッププレート裏面を傷付けないようにトッププレート裏面に温度検出手段を取り付けることができる電磁誘導加熱調理器を得ることを目的とする。
【課題を解決するための手段】
【０００５】
本発明の電磁誘導加熱調理器は、調理器本体ケースの上面に設けられたトッププレートと、前記調理器本体ケースの内部で前記トッププレートの裏面側に配置されたドーナツ状の加熱コイルと、前記加熱コイルの中心部に配置され、前記トッププレートの裏面に押圧される温度検出手段と、前記温度検出手段の感温表面を前記トッププレートの裏面に押し当てて密着するよう常時付勢する付勢手段とを備えた電磁誘導加熱調理器において、前記温度検出手段の感温表面に前記トッププレートの裏面に設けられた塗料による塗装保護膜と同一の塗料による塗装保護膜を設けたことを特徴とするものである。
【発明の効果】
【０００６】
本発明の電磁誘導加熱調理器においては、調理器本体ケースの上面に設けられたトッププレートと、前記調理器本体ケースの内部で前記トッププレートの裏面側に配置されたドーナツ状の加熱コイルと、前記加熱コイルの中心部に配置され、前記トッププレートの裏面に押圧される温度検出手段と、前記温度検出手段の感温表面を前記トッププレートの裏面に押し当てて密着するよう常時付勢する付勢手段とを備え、前記温度検出手段の感温表面に前記トッププレートの裏面に設けられた塗料による塗装保護膜と同一の塗料による塗装保護膜を設けたので、温度検出手段の感温表面の塗装保護膜がトッププレートの塗装保護膜と同材料であるため、互いに塗装保護膜を傷付けることを防ぐことができるという効果がある。
また、温度検出手段の感温表面の塗装保護膜は塗料による塗装のみの工程であるため、従来のようなシリコングリスの塗布とカーボンシートの貼り付けのような手間が少なく、作業性も良好であるという効果がある。
【図面の簡単な説明】
【０００７】
【図１】本発明の実施の形態１の電磁誘導加熱調理器の外観を示す斜視図。
【図２】同電磁誘導加熱調理器の要部を示す縦断面図。
【図３】本発明の実施の形態２の電磁誘導加熱調理器の要部を示す縦断面図。
【発明を実施するための形態】
【０００８】
実施の形態１．
図１は本発明の実施の形態１に係る電磁誘導加熱調理器を前方から見た状態の斜視図である。
図１に示すように、本発明の実施の形態１の電磁誘導加熱調理器は、略矩形で上部が開口した調理器本体ケース１を中心に構成され、その調理器本体ケース１の上面に天板部２が設けられている。
天板部２はトッププレート枠３と、トッププレート枠３の開口部に取り付けられる耐熱性の高いガラスよりなるトッププレート４とで構成されている。
トッププレート４の上面には、左右の加熱コイル７、中央加熱源（図示省略）の大まかな位置を示す円形の案内マーク５Ｍ１、５Ｍ２が表示されている。
【０００９】
調理器本体ケース１内には、誘導式加熱源である前方左右のドーナツ状の加熱コイル７と、電気輻射熱で加熱する後方中央加熱源であるラジエントヒータ（図示省略）が設けられている。
また、本体ケース１の前方左側にはグリル加熱室８が設けられている。そのグリル加熱室８の前面開口はグリル扉９によって開閉自在に覆われている。グリル扉９の開閉操作は前方に突出した取っ手９ａによって行うことができる。
【００１０】
電磁誘導加熱調理器の操作手段は、図１に示すように、調理器本体ケース１の右側前面に設けられた前面操作部１１とトッププレート４の前面側に設けられた上面操作部１５とからなっている。
その前面操作部１１には、左右の加熱コイル７及び中央加熱源の全ての電源を一斉に投入・遮断しうる主電源スイッチの操作ボタン１２、右の加熱コイルの通電とその通電量（火力）を制御する右操作ダイヤル１３Ｒ、左の加熱コイルの通電とその通電量（火力）を制御する左操作ダイヤル１３Ｌ、中央加熱源の通電とその通電量（火力）を制御する中央操作ダイヤル１３Ｃ等が設けられている。
【００１１】
また、その上面操作部１５には右火力設定用操作部、左火力設定用操作部及びグリル加熱室８のヒーターの通電制御を行う中央操作部が設けられている。
また、トッププレート４の左右方向の中央部で前後方向の前側には、統合液晶表示部３０が設けられ、その統合液晶表示部３０の左右に液晶表示部３１Ｌ、３１Ｒが設けられている。
統合液晶表示部３０は左右の加熱コイル、中央加熱源及びグリル加熱室８のヒーターなどの通電状態（火力や時間等）を表示する。また、左右の液晶表示部３１Ｌ、３１Ｒはタイマー調理におけるスタート時点からの経過時間が数字で表示される。
３２Ｌ、３２Ｒは左右の加熱コイルの加熱火力表示部であり、３３は中央加熱源の火力表示部である。
【００１２】
図２において、左右の各ドーナツ状の加熱コイル７は、トッププレート４の裏面側で、調理器本体１内の水平仕切板（図示省略）に取り付けられたコイルベース保持部材１０に脚部６ａが保持されたコイルベース６上に設置されている。そのコイルベース６は中央部分に中央開口６ｂを有している。
そして、加熱コイル７の中心部で、且つコイルベース６の中央開口６ｂに円筒状の保護管ホルダー１９に保持された温度検出手段２０が設けられている。
【００１３】
その温度検出手段２０は、円筒状で外径が例えば５ｍｍのアルミ製の保護管２１と、保護管２１の一端を閉塞する外径が例えば９ｍｍで、平らな感温表面となる上面を有する厚肉でアルミ製のキャップ２２と、保護管２１内に配置され、感温部分がキャップ２２の下面に当接する例えばサーミスタからなる感温センサー２３と、保護管２１内に感温センサー２３を固定するために充填された例えば絶縁材からなる充填材２４と、保護管２１の他端から延出する感温センサー２３の芯線２３ａに接続され、制御部（図示省略）に接続されるリード線２５とで構成されている。なお、保護管２１とキャップ２２はアルミ製で形成されているが、非透磁率のある材質であれば、セラミックス製であってもよい。
【００１４】
保護管ホルダー１９は中央部分の外周にバネ受けフランジ１９ａを有している。その保護管ホルダー１９の一端部である上端部でキャップ２２の周縁部下面を支持している。
その保護管ホルダー１９のバネ受けフランジ１９ａとコイルベース保持部材１０に設けられたバネ受け部１０ａとの間に介装されたコイルスプリング２８により、温度検出手段２０のキャップ２２の平らな上面がトッププレート４の裏面に押し当てて密着させられている。
【００１５】
トッププレート４の裏面には、通常、印刷した文字を明瞭に浮き出させたり、シミを生じさせないようにするためにシリコン塗料による厚さが１０μｍの塗装保護膜４ａが設けられている。このシリコン塗料はシリコン樹脂を主剤に密着性を良くするために接着剤を混合して形成されているものである。
また、トッププレート４の裏面に押し当てて密着させられるキャップ２２の平らな上面には、トッププレート４に設けられたのと同じシリコン塗料による厚さが１０〜２０μｍの塗装保護膜２２ａが設けられている。
【００１６】
この実施の形態１のように、トッププレート４の裏面に押し当てて密着させられるキャップ２２の平らな感温表面である上面には、トッププレート４に設けられシリコン塗料による塗装保護膜２ａと同じシリコン塗料による塗装保護膜２２ａを設けることにより、キャップ２２の塗装保護膜２２ａがトッププレート４の塗装保護膜４ａと同材料であるため、互いに塗料保護膜４ａ、２２ａを傷付けることを防ぐことができる。
また、キャップ２２のシリコン塗料による塗装保護膜２２ａは塗料による塗装のみの工程であるため、従来のようなシリコングリスの塗布とカーボンシートの貼り付けのような手間が少なく、作業性も良好である。
【００１７】
上記の説明では、トッププレート４の裏面にシリコン塗料による塗装保護膜４ａが設けられ、それに対応してキャップ２２の上面にもシリコン塗料による塗装保護膜２２ａが設けられているが、トッププレート４の裏面にフッ素、黒鉛、アルミ等を主剤とする塗料による塗装保護膜４ａが設けられている場合にはそれに対応してキャップ２２の上面にも同様にフッ素、黒鉛、アルミ等を主剤とする塗料による塗装保護膜２２ａが設けられる。
また、トッププレート４の裏面の塗装保護膜４ａとキャップ２２の上面の塗装保護膜２２ａが同じ塗料である場合に、両方とも同じ硬度であることが望ましいが、硬度が異なるときはキャップ２２の上面の塗装保護膜２２ａの方を軟らかくすることが望ましい。
それは、トッププレート４の裏面の塗装保護膜４ａに対してキャップ２２の上面の塗装保護膜２２ａをなじみ易くしてトッププレート４の裏面の塗装保護膜２ａを傷付けないようにするためである。
【００１８】
実施の形態２．
図３は本発明の実施の形態２の電磁誘導加熱調理器の要部を示す縦断面図である。
この実施の形態２において、実施の形態１と同様の構成は同一符号を付して重複した構成の説明を省略し、実施の形態１と異なる構成について説明する。
この実施の形態２は、キャップ２２の上面に、トッププレート４の裏面に設けた塗装保護膜２ａと同じ材料の塗装保護膜２２ａを設ける点では実施の形態１と同じであるが、この実施の形態２では、キャップ２２の上面に塗装保護膜２２ａを設ける前に、ショットブラスト処理により、微細な凹凸２７を形成するようにしたものである。そのキャップ２２の上面の表面粗さは例えば２〜４μｍである。
このようにキャップ２２の上面に微細な凹凸２７を形成するようにしたのは、その後に塗装保護膜２２ａを形成した場合にキャップ２２の上面に対する塗装保護膜２２ａの定着性、密着性を向上させることができるからである。
また、キャップ２２の上面に対する塗装保護膜２２ａの定着性、密着性が向上することにより、トッププレート４の裏面の温度上昇とほぼ同時に温度検出手段２０の感温センサー２３の温度が上昇するというように感温センサー２３の感度が良くなるからである。
【符号の説明】
【００１９】
１  調理器本体ケース、２  天板部、３  トッププレート枠、４  トッププレート、４ａ  塗装保護膜、５Ｍ１  案内マーク、５Ｍ２  案内マーク、６  コイルベース、７  加熱コイル、８  グリル加熱室、９  グリル扉、１１  前面操作部、１５  上面操作部、２０  温度検出手段、２１  アルミ製保護管、２２  アルミ製キャップ、２２ａ  塗装保護膜、２３  感温センサー、２４  充填材、２５  熱収縮チューブ、２６  リード線。
【図１】
0005523050.tif 000002
【図２】
0005523050.tif 000003
【図３】
0005523050.tif 000004